(57)【要約】着脱可能な光学的に読み取り可能なディスク状記録担体上にコントロール情報を記録する方法が、光学的に読み取り可能なディスクの物理的構造を表すコントロールデータを記録するステップを有する。前記コントロールデータのセットは、前記記録担体に対応する標準化されたコントロールデータのセット、又は前記標準化されたコントロールデータのセットから逸脱した標準化されていないコントロールデータのセットのいずれかである。好ましくは、前記の標準化されていないコントロールデータのセットは、前記記録担体に存在する情報層の数、又は、読取専用型、記録可能型、若しくは書換可能型であるという、前記記録担体の型に対しては、異なる値にするものとなる。好ましくは、ユーザは、再生及び／又は記録装置の対応する型を選択することにより、前記の標準化されていないコントロールデータのセットを選択してもよい。
2005501364.tif 000002
【特許請求の範囲】
【請求項１】
着脱可能な光学的に読み取り可能なディスク状記録担体上に、デジタル情報信号を記録する方法であり、
光学的に読み取り可能なディスクの物理的構造を表すコントロールデータを生成するステップ及び
前記記録担体上に前記コントロールデータを記録するステップを有する方法であって、
前記記録担体に対応するコントロールデータ信号の標準化されたセットを生成するステップ又は
前記コントロールデータ信号の標準化されたセットから逸脱したコントロールデータの修正された標準化されていないセットを生成するステップを有することを特徴とする方法。
【請求項２】
前記逸脱したコントロールデータが、ディスクの情報層の数に対応することを特徴とする請求項１に記載の方法。
【請求項３】
前記逸脱したコントロールデータが、ディスクが読取専用型、記録可能型又は書換可能型であることを示す型に対応することを特徴とする請求項１に記載の方法。
【請求項４】
前記修正された標準化されていないデータのセットを生成するステップが、コントロールデータのユーザによる修正を有することを特徴とする請求項１に記載の方法。
【請求項５】
前記修正された標準化されていないデータのセットを生成するステップが、特定の型の記録及び／又は再生装置の、ユーザによる選択を有することを特徴とする請求項１に記載の方法。
【請求項６】
着脱可能な光学的に読み取り可能なディスク状記録担体に、デジタル情報信号を記録する記録装置であり、
オーディオ／ビデオ又はデータ情報を表すデジタル情報信号を入力するための入力手段と、
前記入力されたデジタル情報信号をコード化された情報信号に符号化する符号化手段と、
着脱可能な光学的に読み取り可能なディスク状記録担体上に、前記コード化された情報信号に対応するマークを記録するレーザ光線を有する記録手段と、
記録担体の物理的構造を表すコントロールデータ信号を発生すると共に前記記録担体に前記コントロールデータ信号を記録する制御手段と、
を有する装置であって、
前記制御手段が、前記記録担体に対応する標準化されたコントロールデータ信号のセット、又は前記標準化されたコントロールデータ信号のセットから逸脱したコントロールデータを有する修正された標準化されていないコントロールデータ信号のセットを生成することを特徴とする装置。
【請求項７】
前記制御手段が、ディスクの情報層の数に対応した逸脱したコントロールデータを生成することを特徴とする請求項６に記載の記録装置。
【請求項８】
前記制御手段が、読取専用型、記録可能型又は書換可能型であるというディスクの型に対応するような逸脱したコントロールデータを生成することを特徴とする請求項６に記載の記録装置。
【請求項９】
前記記録装置が、前記コントロールデータ信号を修正するユーザ入力手段を有することを特徴とする請求項６に記載の記録装置。
【請求項１０】
前記記録装置が、特定の型の記録及び／又は再生装置を選択するユーザ選択手段を有することを特徴とする請求項６に記載の記録装置。
【発明の詳細な説明】
【０００１】
【発明の属する技術分野】
本発明は、請求項１の前文で述べたように、光学的に読み取り可能なディスクのような、着脱可能なディスク状記録担体に記録する記録装置にユーザ・プレファランス（ｕｓｅｒ ｐｒｅｆｅｒｅｎｃｅ）を設定する方法に関する。
【０００２】
本発明は、さらに、請求項６の前文で述べたように、光学的に読み取り可能なディスクのような、着脱可能なディスク状記録担体に記録する記録装置に関する。
【０００３】
【従来の技術】
ＣＤ（コンパクト・ディスク）又はＤＶＤディスク（デジタル・バーサタイル・ディスク）のような、光学的に読み取り可能な記録担体は、さまざまな異なるバージョンで利用することができる。コンテンツプロバイダによりあらかじめ記録された情報を含む、読取専用のディスクのほかに、ユーザにより記録された情報を含むことができる、記録可能なディスク及び書き換え可能なディスクが利用することができる。このあらかじめ記録されたディスクは、射出成型工程により付与された、基板にあらかじめプレスされたピットの形式で情報を含むことができる。前記の記録可能なディスクは、走査記録レーザ光線の影響の下で変化する感光層を含んでもよい一方、前記の書き換え可能なディスクは、走査記録レーザ光線により、局所的にアモルファス又は結晶状態に変化することが可能な液晶層を含んでもよい。さらにディスクは、例えばスーパー・オーディオＣＤ（ＳＡＣＤ）のように、いくつかは異なる情報密度ですらある、いくつかの情報層を含んでもよい。さらに、ＤＶＤ−ＲＷ、ＤＶＤ＋ＲＷ、ＤＶＤ−Ｒ、ＤＶＤ＋Ｒ及びＤＶＤ−ＲＡＭとして普通に知られているような、いくつかの形式の記録可能及び書き換え可能なＤＶＤが利用可能であり、各形式は使用されている技術だけでなく、使用されているフォーマットも異なる。従って物理的な非互換性を除いても、論理的非互換性が存在し得る。
【０００４】
光学的に読み取り可能なディスクに、デジタルなオーディオ／ビデオ情報又はデータ情報のようなユーザの情報を記録するレコーダは、好ましくは、可能な限り多くの形式の再生装置で再生可能な、記録されたディスクを生成すべきである。これは些細なことではない。現存するＤＶＤプレーヤは、後に開発されたＤＶＤレコーダ／プレーヤの知識無しで開発された。さらに、異なる製造業者が独自の規格を採用した。従って、ＤＶＤ−ＲＷレコーダで記録されたＤＶＤ−ＲＷディスクが、物理的又は論理的な問題のために、同じ又は異なる製造業者のＤＶＤプレーヤにより認識されない又は扱えないかもしれないということが起こり得る。もちろん、設計及び開発において再生互換性はしばしば考慮されるが、実際面では完全保証は得られない。
【０００５】
【発明が解決しようとする課題】
本発明の目的は、上述した欠点を克服することである。その態様の一つによると、本発明による方法は、請求項１の特徴部分で述べられているように特徴付けられる。その態様の一つによると、本発明による記録装置は、請求項６の特徴部分で述べられているように特徴付けられる。
【０００６】
【課題を解決するための手段】
コントロールデータの一部を修正することにより、記録装置以外の他の再生又は記録装置が、標準化されたコントロールデータが当該ディスクを受け入れさせない場合でも、そのディスクを受け入れさせるようにすることができる。
【０００７】
一つの有利な実施例は、請求項２の特徴部分により規定されているようにして得られる。ＤＶＤ−ＲＷディスクはＤＶＤ−ＲＯＭディスクより低い反射率を持つので、ＤＶＤ−ＲＯＭプレーヤに２層ディスクとして前記ディスクを解釈させる。１層ディスクの層数に関するコントロールデータを、２層ディスクとして設定することにより、ＤＶＤ−ＲＯＭプレーヤに受け入れさせる。
【０００８】
他の有利な実施例は、請求項３の特徴部分により規定されているようにして得られる。記録可能なディスクを読取専用型ディスクであるように示すことは、読取専用型プレーヤによって同様な効果を持ち得る。
【０００９】
他の有利な実施例は、請求項５の特徴部分により規定されているようにして得られる。記録されたディスクを拒絶するプレーヤの型を選択することにより、この型のプレーヤに調整された、あらかじめ規定された、対応するコントロールデータのセットを選択することができる。
【００１０】
本発明の、他の有利な実施例は、他の従属請求項において述べられている。
【００１１】
本発明の、これら及び他の態様及び利点は、以下の発明の実施の形態の開示を参照して、特に添付した図を参照して、明らかにされ、より詳細に説明されるであろう。
【００１２】
【発明の実施の形態】
図１は、本発明によるＤＶＤディスクのコントロールデータブロックの内容を示している。ディスクの最も内側の領域である、リードイン領域においては、いわゆるコントロールデータゾーンが、物理フォーマット情報とディスク製造情報とコンテンツプロバイダ情報とを含んで規定されている。これは、各々が２０４８バイトの１６セクタからなる、多数のコントロールデータブロックに含まれている。コントロールデータブロックの１セクタは物理フォーマット情報を有する。
【００１３】
図２は、前記のＤＶＤディスクによる物理フォーマット情報の内容を示している。バイト０ないし３（ＢＰ（０）ないし（３））の内容は、図３に示されている。
【００１４】
バイト０（ＢＰ（０））のビットｂ７ないしｂ４はブックタイプを指定している。これらは読取専用型（ＲＯＭ）ディスクの場合００００ｂ、書換可能型ディスクの場合０００１ｂ、記録可能型ディスクの場合００１０ｂに設定される。ＤＶＤ−ＲＯＭの規格に関しては、他のビット設定は規定されていない。しかし、ＤＶＤ−ＲＷディスクの場合には、ビット設定０００１ｂがＤＶＤ−Ｒディスクを示すため、００１１ｂがＤＶＤ−ＲＷディスクを示すために使われている。ＤＶＤ＋ＲＷディスクの場合にはビットは１００１ｂに設定されている。他のビット設定はＤＶＤ＋Ｒディスクを示すために使われてもよい。
【００１５】
バイト０のビットｂ３ないしｂ０はパートバージョンを規定する。ＤＶＤ−ＲＯＭの場合０００１ｂはバージョン１．０を示すために使われ、ＤＶＤ＋ＲＷディスクの場合００１０ｂはＤＶＤ＋ＲＷのバージョン１の記述を示すために使われる。ＤＶＤ−ＲＷの場合０１０１ｂはバージョン２を示すために使われる。
【００１６】
バイト１（ＢＰ（１））のビットｂ７ないしｂ４はディスクサイズを規定する。００００ｂは１２ ｃｍディスク、０００１ｂは８ ｃｍディスクとする。バイトｂ３ないしｂ０は最低読み出し速度を規定する。００００ｂは２．５２ Ｍｂｐｓ、０００１ｂは５．０４ Ｍｂｐｓ及び００１０ｂは１０．０８ Ｍｂｐｓとする。
【００１７】
バイト２（ＢＰ（２））のビットｂ６ないしｂ５は層数を規定する。００ｂは１層、０１ｂは２層とする。
【００１８】
バイト２のビットｂ４はトラックパスを規定する。０ｂはパラレルトラックパス、０１ｂはオポジットトラックパスとする。ビットｂ３ないしｂ０は層の形式を含み、ｂ２＝０ｂはそのディスクが書き換え可能なユーザデータ領域を含まないことを示し、ｂ２＝１ｂは書き換え可能なユーザデータ領域の存在を示し、ｂ１＝０ｂはそのディスクが記録可能なユーザデータ領域を含まないことを示し、ｂ１＝１ｂはそのような領域の存在を示し、ｂ０＝０ｂはそのディスクがエンボス・ユーザデータ領域を含まないことを示し、ｂ０＝１ｂはそのような領域の存在を示す。
【００１９】
バイト３（ＢＰ（３））のビットｂ７ないしｂ４は線密度を示す。０．２６７マイクロメートル／ビットの場合は００００ｂ、０．２９３マイクロメートル／ビットの場合は０００１ｂ、０．４０９から０．４３５マイクロメートル／ビットの場合は０１０１ｂとする。
【００２０】
ビットｂ３からｂ０はトラックピッチを規定する。０．７４マイクロメートル／トラックの場合は００００ｂ及び０．８０マイクロメートル／トラックの場合は０００１ｂとする。
【００２１】
ＤＶＤ−ＲＯＭディスクの場合、前記物理フォーマット情報のバイト４ないし１５は、データ領域の配置を規定するため、及びバイト１６はＢＣＡ（バースト・カッティング・エリア）を規定するために使われる。ＤＶＤ−ＲＯＭの場合には、残りは未使用にしておくが、一方でＤＶＤ−ＲＷの場合には、バイト３２ないし３９は別の目的に使われる。ＤＶＤ＋ＲＷの場合にはバイト１６以降のバイトは他の目的に使われてもよい。現存するＤＶＤ−ＲＯＭプレーヤは、ＤＶＤ−ＲＯＭの規格において規定されていないバイトを探さないのに対し、ＤＶＤ−ＲＷ及びＤＶＤ＋ＲＷレコーダは、ＤＶＤ−ＲＯＭの規格によって未使用に規定されたバイトにおいて、ＤＶＤ−ＲＷ及びＤＶＤ＋ＲＷ特有の情報を探すことはありそうである。
【００２２】
通常、プレーヤに挿入されたディスクは、そのプレーヤ（又はプレーヤ／レコーダ）が要求に応じたビット設定に調整されるように、前記物理フォーマット情報を検査されるであろう。このビット設定は記録中に当該ディスクに記録されてもよい。本発明による方法は図４を参照して示される。ステップ１０１では、ＤＶＤ＋ＲＷの規格に規定された通常の規則による標準の設定が選択（ステップ１０２）されるべきか否か決定される。これは、同じレコーダ／プレーヤ並びに大部分の他の型のプレーヤ及びプレーヤ／レコーダによる再生に最適であろう。しかしユーザは、一つずつ手動（ステップ１０４）又はメニューから非標準ビット設定の特別なセットの選択（ステップ１０５）のいずれかにより入力されることができる非標準ビット設定の選択を選択（ステップ１０３）してもよい。前記メニューは、現存するいくつかのブランド及びモデルのプレーヤを含んでもよいし、特定のプレーヤを選択すると、選択されたプレーヤに最適化された非標準ビット設定が選択される。標準又は非標準いずれかの、この選択されたビット設定は最後にディスクに書き込まれる（ステップ１０６）。
【００２３】
たとえば、ＤＶＤ＋ＲＷディスクの低反射率のため、特定のＤＶＤプレーヤは前記ディスクを２層ＤＶＤ−ＲＯＭディスクとして見なすことがある。このようなプレーヤを満足させるために、前記物理フォーマット情報内の層数を示す情報は適宜設定される。これは前記プレーヤに前記ディスクを受け入れさせるであろう。
【００２４】
他のプレーヤは、たとえば反射率を測ることにより、前記ディスクが書換可能型であることを認識するであろう。そのようなプレーヤは、２層の存在を示すビット設定を故意に記録することにより、混乱されるであろう。従って、同時に全てのプレーヤを満足させる設定は無く、各設定は、選択されたブランド及びモデル又はモデルのブランド若しくはカテゴリに一致しなければならない。
【００２５】
他の非標準設定は、ＤＶＤ＋ＲＷディスクの標準の設定を、バージョン１．０のＤＶＤ−ＲＯＭディスクを示す設定に、ブックタイプの場合は（１００１ｂ）から００００ｂに、及びバージョン番号の場合は（００１０ｂ）から０００１ｂに変えることができる。どんな非標準設定が最適になり得るかは、市場に存在するであろう、プレーヤの型に依存する。これは試行錯誤により実際面で確立されなければならないであろう。
【００２６】
ユーザは、通常は標準ビット設定から逸脱しないであろうが、特定のプレーヤとの再生非互換性がある場合には、特定のビット設定を記録することを選択してもよい。好ましくは、ユーザは、本発明による記録装置に記憶させた選択可能なビット設定のリストから特定のブランド及びモデルのプレーヤを拾い出してもよい。有利な実施例によるこのようなリストは、たとえば、インターネット若しくは公共の電話線からアップロードすることにより、又は最も新しい設定を含むディスクの設定を複製することにより、更新されることができる。
【００２７】
図５は本発明の一つの実施例による記録装置を示す。前記記録装置は、光学的に読み取り可能なディスク２０１を、サーボ機構２０３により制御される回転手段２０２により回転させる手段を有する。前記ディスク２０１は、記録又は読み取りいずれかのため、焦点を合わせたレーザ光線２０４により走査される。前記光線２０４は、トラッキング及びフォーカシング手段２０６により前記ディスク上に配置された光ピックアップ部２０５により生成される。前記ピックアップ部２０５は、反射光を電気信号に変換する検出器の手段を有する。前記電気信号は、バッファ手段２０７に入力されるデジタル信号に変換される。又は、記録の場合には、記録されるべきデジタル信号は、前記バッファ手段２０７から前記光ピックアップ部２０５に出力される。前記記録されたデジタル信号は、エラー補正及び復調のため、復調／エラー補正手段２０８に入力される。最終的に、デコーダ２０９が符号化された信号を復号し、オーディオ／ビデオ情報又はデータ情報のいずれかを出力する。
【００２８】
記録の場合、エンコーダ２１０は、入力された記録されるべき情報を符号化し、符号化された信号を変調及びエラー補正データ追加のため、変調／エラー補正手段２１１に出力する。
【００２９】
処理装置２１３と読取専用型のメモリ手段２１４と書換可能型のメモリ手段２１５とを有する、制御部２１２は、前記装置を制御し、そこから情報を受信する。追加入力手段２１６は、ユーザ情報及び、たとえばデータ通信回線からの外部情報のいずれかを入力するために供給される。
【００３０】
前記メモリ手段２１４及び／又は２１５は、前記処理装置２１３との使用に適した制御プログラムが積まれている。前記メモリ２１４及び／又は２１５は、さらに、前記ディスク２０１に記録されるべき標準ビット設定並びに特定のブランド及びモデルのプレーヤに対応する非標準ビット設定のセットを有することができる。前記非標準セットは、製造業者又はユーザのいずれにより入力されてもよい。前記ユーザはこの情報を、ディスク２０１から直接、又は手動で入力することにより若しくはデータ通信回線に繋ぐことで入力することにより前記入力手段２１６により得てもよい。
【００３１】
また、ディスクの標準ビット設定は、前記ディスクにあらかじめプレスされた溝の正弦波状の動径方向の偏位（ウォブル）の変調の形式により、前記ディスク上に存在することができる。普通は、そのような変調は、あらかじめ規定された基準位置に関して、らせん状の溝（ＡＤＩＰ：アブソルート・アドレス・インフォメーション・プリグルーブ）内の位置を示すアドレス情報を含む。しかし、前記アドレス情報は、たとえば物理ディスク情報のような追加情報によって選択的に置き換えられてもよい。レコーダに前記ディスクを挿入するとき、前記レコーダは、初期化の間にこの追加情報を読み取り、対応するビット設定をコントロールデータ領域に複製する。修正されたビット設定が記録されるとき、修正は、データが溝の中に又は溝に沿ってマークとして記録されるコントロールデータ領域に複製する前に、前記ディスクから読み出された物理フォーマット情報に行われてもよい。
【００３２】
本発明は、その好ましい実施例を参照して記述されているが、これらの実施例は制限的な例ではないと理解されるものである。従って、様々な修正が、請求項により規定された本発明の範囲からはずれることなく、当業者に明らかになってもよい。本発明は、ハードウェア及びソフトウェア両方の手段により実施可能であり、いくつかの「手段」は、ハードウェアの同じ要素に代表されてもよい。また「有する」という単語は、請求項に記載されたもの以外の要素又はステップの存在を除外しない。どんな引用符号も、請求項の範囲を制限しない。
【図面の簡単な説明】
【図１】本発明によるＤＶＤディスクのコントロールデータブロックの構造を示す。
【図２】図１のＤＶＤディスクのコントロールデータブロック内の物理フォーマット情報を示す。
【図３】図１のＤＶＤディスクの物理フォーマット情報の、可能なビット設定を示す。
【図４】本発明によるビット設定を記録する方法を示す。
【図５】本発明による記録装置を示す。
【図１】
2005501364.tif 000003
【図２】
2005501364.tif 000004
【図３】
2005501364.tif 000005
【図４】
2005501364.tif 000006
【国際公開パンフレット】
2005501364.tif 000007
2005501364.tif 000008
2005501364.tif 000009
2005501364.tif 000010
2005501364.tif 000011
2005501364.tif 000012
2005501364.tif 000013
2005501364.tif 000014
2005501364.tif 000015
2005501364.tif 000016
2005501364.tif 000017
2005501364.tif 000018
2005501364.tif 000019
【国際調査報告】
2005501364.tif 000020
2005501364.tif 000021
2005501364.tif 000022